(57)【要約】【課題】本発明の課題は、配線作業と同時に配線データを構築することができ、ヒューマンエラーを生じさせないで、迅速且つ正確な配線データを構築することができるコネクタ挿抜工具を提供することにある。【解決手段】本発明は、コネクタプラグ２０をコネクタアダプタ２２に接続するコネクタ挿抜工具１であって、コネクタプラグ２０の第１の識別ＩＤ２１とコネクタアダプタ２２の第２の識別ＩＤ２３を識別するＩＤ識別機能部２が設けられたことを特徴とするものである。【選択図】図２
2008117714.tif 000002
【特許請求の範囲】
【請求項１】
コネクタプラグをコネクタアダプタに接続するコネクタ挿抜工具であって、
コネクタプラグの第１の識別ＩＤとコネクタアダプタの第２の識別ＩＤを識別するＩＤ識別機能部が設けられたことを特徴とするコネクタ挿抜工具。
【請求項２】
請求項１に記載のコネクタ挿抜工具において、
ＩＤ識別機能部は、コネクタプラグを把持する過程でコネクタプラグの第１の識別ＩＤを読み取り、前記コネクタプラグをコネクタアダプタに嵌合接続すると前記コネクタアダプタの第２の識別ＩＤを読み取ることを特徴とするコネクタ挿抜工具。
【請求項３】
請求項２に記載のコネクタ挿抜工具において、
コネクタプラグを把持または非把持の操作に連動して、ＩＤ識別機能部が移動することを特徴とするコネクタ挿抜工具。
【請求項４】
請求項３に記載のコネクタ挿抜工具において、
ＩＤ識別機能部は、コネクタプラグ把持時にコネクタプラグの第１の識別ＩＤを読み取り、ＩＤ識別機能部を移動させることで、コネクタアダプタの第２の識別ＩＤを読み取ることを特徴とするコネクタ挿抜工具。
【請求項５】
請求項１乃至４のいずれかに記載のコネクタ挿抜工具において、
ＩＤ識別機能部の制御機能部および無線通信機能部を収容するハンドル部を有し、ＩＤ識別機能部で読み取った第１の識別ＩＤおよび／または第２の識別ＩＤの識別情報および情報制御信号を無線通信機能部で送信することを特徴とするコネクタ挿抜工具。
【請求項６】
請求項１乃至５のいずれかに記載のコネクタ挿抜工具において、
第１の識別ＩＤおよび第２の識別ＩＤとしてバーコードのＩＤを用い、ＩＤ識別機能部としてカメラ機能部を用いることを特徴とするコネクタ挿抜工具。
【請求項７】
請求項１乃至５のいずれかに記載のコネクタ挿抜工具において、
第１の識別ＩＤおよび第２の識別ＩＤとしてＲＦＩＤを用い、ＩＤ識別機能部として電磁波の送受信部を用いることを特徴とするコネクタ挿抜工具。
【発明の詳細な説明】
【技術分野】
【０００１】
本発明は、コネクタプラグをコネクタアダプタに接続するコネクタ挿抜工具に係り、特に識別情報の読み取り機能を有し、コネクタ挿抜時に正確な配線データを構築するＩＤ識別機能付きのコネクタ挿抜工具に関するものである。
【背景技術】
【０００２】
従来、非特許文献１に記載されたようなコネクタ挿抜工具が利用されている。
従来の識別情報を利用した配線データの構築方法では、コネクタの接続や抜去の工程と、識別リーダで識別情報を読み取り接続データを登録する工程が分離しているため、この間のヒューマンエラーを回避する手段がなく、配線データの間違いを排除できなかった。
【０００３】
【非特許文献１】ＮＴＴネオメイト、“環境商品：ケーブル用コネクタ挿抜工具”、［online］、［２００６年１０月２０日検索］、インターネット＜URL:http://WWW.ntt-neo.com/service/eco/connector.html＞
【発明の開示】
【発明が解決しようとする課題】
【０００４】
本発明は上記の事情に鑑みてなされたもので、ＩＤ（識別子）識別機能部を設けることにより、配線作業と同時に配線データを構築することができ、ヒューマンエラーを生じさせないで、迅速且つ正確な配線データを構築することができるコネクタ挿抜工具を提供することを目的とする。
【課題を解決するための手段】
【０００５】
上記目的を達成するために本発明は、コネクタプラグをコネクタアダプタに接続するコネクタ挿抜工具であって、コネクタプラグの第１の識別ＩＤとコネクタアダプタの第２の識別ＩＤを識別するＩＤ識別機能部が設けられたことを特徴とするものである。
【０００６】
また本発明は、前記コネクタ挿抜工具において、ＩＤ識別機能部は、コネクタプラグを把持する過程でコネクタプラグの第１の識別ＩＤを読み取り、前記コネクタプラグをコネクタアダプタに嵌合接続すると前記コネクタアダプタの第２の識別ＩＤを読み取ることを特徴とするものである。
【０００７】
また本発明は、前記コネクタ挿抜工具において、コネクタプラグを把持または非把持の操作に連動して、ＩＤ識別機能部が移動することを特徴とするものである。
【０００８】
また本発明は、前記コネクタ挿抜工具において、ＩＤ識別機能部は、コネクタプラグ把持時にコネクタプラグの第１の識別ＩＤを読み取り、ＩＤ識別機能部を移動させることで、コネクタアダプタの第２の識別ＩＤを読み取ることを特徴とするものである。
【０００９】
また本発明は、前記コネクタ挿抜工具において、ＩＤ識別機能部の制御機能部および無線通信機能部を収容するハンドル部を有し、ＩＤ識別機能部で読み取った第１の識別ＩＤおよび／または第２の識別ＩＤの識別情報および情報制御信号を無線通信機能部で送信することを特徴とするものである。
【００１０】
また本発明は、前記コネクタ挿抜工具において、第１の識別ＩＤおよび第２の識別ＩＤとしてバーコードのＩＤを用い、ＩＤ識別機能部としてカメラ機能部を用いることを特徴とするものである。
【００１１】
また本発明は、前記コネクタ挿抜工具において、第１の識別ＩＤおよび第２の識別ＩＤとしてＲＦＩＤを用い、ＩＤ識別機能部として電磁波の送受信部を用いることを特徴とするものである。
【発明の効果】
【００１２】
本発明のコネクタ挿抜工具は、ＩＤ識別機能部を設けることにより、配線作業と同時に配線データを構築することができ、ヒューマンエラーを生じさせないで、迅速且つ正確な配線データを構築することができる。
【発明を実施するための最良の形態】
【００１３】
以下図面を参照して本発明の実施の形態を詳細に説明する。
図１（ａ）は本発明の実施形態に係るコネクタ挿抜工具を示す上面図であり、図１（ｂ）は本発明の実施形態に係るコネクタ挿抜工具を示す側面図である。図１（ａ），（ｂ）において、１はコネクタプラグをコネクタアダプタに接続するコネクタ挿抜工具、２はＩＤ識別機能部、３はコネクタ把持部、４はアーム部、５はハンドル部、６は操作部、７は爪位置制御部、８はリード線、９は爪部、１０は連結部、１１は回転防止機能部、１３は溝である。
【００１４】
図１（ａ），（ｂ）に示すように、真直ぐで細長い直方体よりなるアーム部４の側面には長手方向に沿って溝１３が設けられ、前記溝１３内にはリード線８、爪位置制御部７及び連結部１０が挿入して設けられる。リード線８及び爪位置制御部７は連結部１０により途中で連結され、前記連結部１０はリード線８及び爪位置制御部７を一体に連結する。前記アーム部４の先端部には爪部９が回動軸９０１により回動自在に設けられ、前記爪部９には前記爪位置制御部７の先端部が回動操作可能にして取付けられる。前記アーム部４の先端部にはＩＤ識別機能部２がリード線８の先端部に取付けられて配置される。前記アーム部４の先端部近傍にはコネクタ把持部３が取付けられる。前記アーム部４の後端部にはハンドル部５が一体に設けられ、前記ハンドル部５内には前記リード線８の後端部が延長して設けられる。前記ハンドル部５には操作部６が前記爪位置制御部７をアーム部４の長手方向に移動可能にして設けられる。
【００１５】
すなわち、コネクタの挿抜機能を有するコネクタ挿抜工具１にＩＤ識別機能部２とリード線８を収容した構成を示す。ＩＤ識別機能部２には識別ＩＤのＲＦＩＤ（Ｒａｄｉｏ  Ｆｒｅｑｕｅｎｃｙ  ＩＤｅｎｔｉｆｉｃａｔｉｏｎ）の読み取りや書き込み等を行う高周波アンテナ機能部を有する。ＭＵ（Ｍｉｎｉａｔｕｒｅ−Ｕｎｉｔ）コネクタを使用した所内の光配線盤の場合、コネクタアダプタのコネクタ間隔は５ｍｍ以下のため、ＩＤ識別機能部２は５ｍｍ以下にする必要があり、ＩＤ識別機能部２に使用する周波数帯域も２ＧＨｚ以上では前記条件の５ｍｍ以下の構成が可能である。
【００１６】
尚、識別ＩＤとしてバーコードのＩＤを識別するためには、前記ＩＤ識別機能部２はカメラ機能部となり、ＲＦＩＤを識別する場合は電磁波の送受信部となる。溝１３は、コネクタ挿抜工具１の片面に連続的な開口部を有することで、前記ＩＤ識別機能部２を前記コネクタ挿抜工具１に収容可能にしている。
【００１７】
また、前記ＩＤ識別機能部２が容易に外れない固定部材をアーム部４に形成し、リード線８は、同軸線等が使用可能であるが、セミリジットケーブルのように外部導体の金属体が露出している部材が適用でき、外部導体をコネクタ挿抜工具１のアーム部４に接触させることで、識別特性を安定させる効果が得られる。
【００１８】
光配線盤のコネクタアダプタの端子間隔が５ｍｍ以下のＭＵタイプのコネクタアダプタにおいては、アーム部４の幅は５ｍｍ以下に抑える必要があるが、リード線８として適用する同軸線の外径は１．６ｍｍが収容可能である。
【００１９】
コネクタ挿抜工具１のアーム部４にはリード線８を収容可能な溝１３を有することで、ＩＤ識別機能部２をリード線８に接続したままコネクタ挿抜工具１に収容可能としている。
【００２０】
ハンドル部５の操作部６により、爪位置制御部７を動かし、爪部９を回動してコネクタ挿抜時にコネクタプラグの把持および把持の解除を行うが、前記爪位置制御部７とリード線８を連結部１０により連結しておくことで、爪部９を動かすと同時にリード線８も動く機構となっている。
【００２１】
図２は本発明の一実施形態に係るコネクタ挿抜工具の動作を説明するための構成説明図である。図２において、１２は爪位置制御部７と爪部９の間に設けられたばね部、１４はコネクタプラグの凹部、２０はコネクタプラグ、２１は第１の識別ＩＤ、２２はコネクタアダプタ、２３は第２の識別ＩＤ、２４はコネクタプラグのブーツである。
【００２２】
図２に示すように、コネクタ挿抜工具１の先端部にはＩＤ識別機能部２がリード線８により取付けられ、爪部９はばね部１２を介して爪位置制御部７に連結される。コネクタ挿抜工具１をコネクタプラグ２０に挿入して後、操作部６を操作して爪位置制御部７により爪部９をコネクタプラグ２０の凹部１４に嵌合することによりコネクタ挿抜工具１でコネクタプラグ２０を把持する。コネクタプラグ２０を把持した状態でコネクタ挿抜工具１をコネクタアダプタ２２側に押すことにより、コネクタプラグ２０をコネクタアダプタ２２に嵌合接続することができる。爪部９を凹部１４に嵌合した状態において、ＩＤ識別機能部２は第１の識別ＩＤ２１の識別情報を読み取ることができる。更に、操作部６を操作して爪位置制御部７をコネクタアダプタ２２側に押すことで、爪部９が回転しコネクタプラグ２０の凹部１４から外れる。図中、丸１は爪部９が凹部１４に嵌合された位置を示し、丸２は爪部９が凹部１４から嵌合解除された位置を示す。爪部９が凹部１４から外れた状態でコネクタ挿抜工具１をコネクタプラグ２０から引き抜く。
【００２３】
一方、リード線８は連結部１０により爪位置制御部７と連動しているので、操作部６を操作して爪位置制御部７をコネクタアダプタ２２側に押すと、リード線８もコネクタアダプタ２２側に押され、ＩＤ識別機能部２はＡ点からコネクタアダプタ２２側のＢ点まで移動し、第２の識別ＩＤ２３の識別情報を読み取ることができる。この移動量はＭＵコネクタを使用した光接続盤では２〜３ｍｍが好ましいが、爪部９の必要可動量はそれより少なくてよく、ばね部１２において移動量の違いを吸収している。
【００２４】
ＩＤ識別機能部２により第２の識別ＩＤ２３を正確に読み取るためには、隣接する第２の識別ＩＤ２３を読み込まないことが必要であり、ＩＤ識別機能部２を第２の識別ＩＤ２３に接近させたときに読み取れる条件を満足する必要がある。本実施形態の移動量において、ＭＵコネクタを使用した光接続盤のコネクタプラグ２０に取り付けた第１の識別ＩＤ２１とコネクタアダプタに取り付けた第２の識別ＩＤ２３を正確に読み取ることができる。
【００２５】
ＩＤ識別機能部２の読み取り性は、ＩＤ識別機能部２と識別ＩＤ２１，２３の方向性の影響があるため、ＩＤ識別機能部２は回転をしないで平行移動する必要がある。そのため、連結部１０にはリード線８の回転を防止する回転防止機能１１を有している。
【００２６】
図３は本発明の他の実施形態に係るコネクタ挿抜工具の動作を説明するための構成説明図である。図３においては、連結部１０がなく、リード線８と爪位置制御部７は連動しないで独立に移動し、爪位置制御部７を移動してもリード線８及びＩＤ識別機能部２が移動しない構造の実施形態である。コネクタ挿抜工具１によりコネクタプラグ２０を把持してコネクタアダプタ２２に嵌合接続したときのＩＤ識別機能部２の位置をコネクタアダプタ２２の第２の識別ＩＤ２３の直近になるような構造とする。この状態において、ＩＤ識別機能部２は第２の識別ＩＤ２３の識別情報を正確に読み取ることができる。
【００２７】
図４は本発明の他の実施形態に係るコネクタ挿抜工具の動作を説明するための構成説明図である。すなわち、コネクタの接続時には、コネクタプラグ２０にコネクタ挿抜工具１を装着する過程で、ＩＤ識別機能部２はコネクタプラグ２０に取り付けた第１の識別ＩＤ２１の近傍を通り抜けるために、このときにコネクタプラグ２０の第１の識別ＩＤ２１を読み取る。さらに、コネクタプラグ２０の凹部１４にコネクタ挿抜工具１の爪部９が入る位置でコネクタプラグ２０を把持し、把持したコネクタプラグ２０をコネクタアダプタ２２に嵌合接続すると、ＩＤ識別機能部２の位置がコネクタアダプタ２２の直近になるので、コネクタアダプタ２２に取り付けた第２の識別ＩＤ２３が読み取り可能となる。
【００２８】
図５は本発明の実施形態に係るコネクタ挿抜工具の使用例を示す構成説明図である。図５において、２５は識別ＩＤ（第１の識別ＩＤ２１及び第２の識別ＩＤ２３）、３０は光配線盤、３１は光ファイバコード、３２は制御機能部（識別情報処理部）、３３は端末、３４はＤＢ（データベース）サーバ、３５ネットワークである。図５に示すように、光配線盤３０は複数のコネクタアダプタ２２により構成され、コネクタプラグ２０には光ファイバコード３１が接続される。ＩＤ識別機能部２はリード線８を介して制御機能部３２に接続され、制御機能部３２は端末３３に接続される。端末３３はネットワーク３５を介してＤＢサーバ３４に接続される。
【００２９】
すなわち、ＩＤ識別機能付きコネクタ挿抜工具１を用いてコネクタプラグ２０をコネクタアダプタ２２に嵌合接続する際、ＩＤ識別機能部２により読み取った識別ＩＤ２５（コネクタプラグ２０の第１の識別ＩＤ２１とコネクタアダプタ２２の第２の識別ＩＤ２３）の識別情報を制御機能部３２に送信して情報処理した後、識別情報及び情報制御信号を有線（リード線８）でノートＰＣ（パソコン）のような端末３３に送信し、端末３３からネットワーク３５を介してＤＢサーバ３４に送信し、データベースに接続情報を登録する。
【００３０】
図６は本発明の実施形態に係るコネクタ挿抜工具の使用例を示す構成説明図である。図６において、コネクタ挿抜工具１のハンドル部５内には制御機能部（識別情報処理部）３２、Ｂｌｕｅｔｏｏｔｈ（登録商標）などの無線通信機能を有する送信機能部３６、及び電源（バッテリー）が収容される。
【００３１】
すなわち、ＩＤ識別機能付きコネクタ挿抜工具１を用いてコネクタプラグ２０をコネクタアダプタ２２に嵌合接続する際、ＩＤ識別機能部２により読み取った識別ＩＤ２５（コネクタプラグ２０の第１の識別ＩＤ２１とコネクタアダプタ２２の第２の識別ＩＤ２３）の識別情報を有線（リード線８）でハンドル部５内の制御機能部３２に送信して情報処理した後、送信機能部３６により識別情報及び情報制御信号をノートＰＣ（パソコン）のような端末３３に無線で送信し、端末３３からネットワーク３５を介してＤＢサーバ３４に送信し、データベースに接続情報を登録する。
【００３２】
図７は本発明の実施形態に係るコネクタ挿抜工具の使用例を示す構成説明図である。図７において、コネクタ挿抜工具１のハンドル部５内には制御機能部（識別情報処理部）３２、Ｂｌｕｅｔｏｏｔｈなどの無線通信機能を有する送信機能部３６、及び電源（バッテリー）が収容される。
【００３３】
すなわち、ＩＤ識別機能付きコネクタ挿抜工具１を用いてコネクタプラグ２０をコネクタアダプタ２２に嵌合接続する際、ＩＤ識別機能部２により読み取った識別ＩＤ２５（コネクタプラグ２０の第１の識別ＩＤ２１とコネクタアダプタ２２の第２の識別ＩＤ２３）の識別情報を有線（リード線８）でハンドル部５内の制御機能部３２に送信して情報処理した後、送信機能部３６により識別情報及び情報制御信号をネットワーク３５を介してＤＢサーバ３４に無線で送信し、データベースに接続情報を登録する。
【００３４】
以上のように本実施形態では、コネクタ挿抜工具にコネクタプラグの第１の識別ＩＤとコネクタアダプタの第２の識別ＩＤの読み取り機能を有するＩＤ識別機能部を収容できる。コネクタ挿抜工具はコネクタの挿抜機能としてＩＤ識別機能部がコネクタプラグを把持する過程でコネクタプラグの第１の識別ＩＤを読み取り、前記コネクタプラグをコネクタアダプタに嵌合した時点でコネクタアダプタの第２の識別ＩＤを読み取る。
【００３５】
また、コネクタ挿抜工具のコネクタプラグを把持または非把持の操作に連動して、ＩＤ識別機能部が移動することにより、コネクタの挿抜作業と識別情報の読み取りを同一フローの中で行うことができるため、当該コネクタプラグやコネクタアダプタの識別情報を確実に読み取ることを可能にしている。
【００３６】
また、ＩＤ識別機能部がコネクタプラグ把持時にコネクタプラグの第１の識別ＩＤを読み取り、コネクタプラグをコネクタアダプタに嵌合し、ＩＤ識別機能部をコネクタアダプタ側に移動させることで、コネクタアダプタの第２の識別ＩＤを読み取る。
【００３７】
このことにより、コネクタプラグおよび接続されるコネクタアダプタの２つの識別ＩＤをコネクタ挿抜時に確実に読み取ることを可能にしている。
【００３８】
また、本コネクタ挿抜工具のハンドル部にＩＤ識別機能部の制御機能部および無線通信機能部を収容し、読み取った第１の識別ＩＤおよび／または第２の識別ＩＤの情報および情報制御信号を無線通信機能部でデータベースを有するコンピュータに送信する機能を有する。
【００３９】
したがって、本実施形態のコネクタ挿抜工具は、ＩＤ識別機能部を設けることにより、配線作業と同時に配線データを構築することができ、ヒューマンエラーを生じさせないで、迅速且つ正確な配線データを構築することができる。
【００４０】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００４１】
【図１】本発明の実施形態に係るコネクタ挿抜工具を示す上面図及び側面図である。
【図２】本発明の一実施形態に係るコネクタ挿抜工具の動作を説明するための構成説明図である。
【図３】本発明の他の実施形態に係るコネクタ挿抜工具の動作を説明するための構成説明図である。
【図４】本発明の他の実施形態に係るコネクタ挿抜工具の動作を説明するための構成説明図である。
【図５】本発明の実施形態に係るコネクタ挿抜工具の使用例を示す構成説明図である。
【図６】本発明の実施形態に係るコネクタ挿抜工具の使用例を示す構成説明図である。
【図７】本発明の実施形態に係るコネクタ挿抜工具の使用例を示す構成説明図である。
【符号の説明】
【００４２】
１…コネクタ挿抜工具、２…ＩＤ識別機能部、３…コネクタ把持部、４…アーム部、５…ハンドル部、６…操作部、７…爪位置制御部、８…リード線、９…爪部、１０…連結部、１１…回転防止機能部、１２…ばね部、１３…溝、１４…凹部、２０…コネクタプラグ、２１…第１の識別ＩＤ、２２…コネクタアダプタ、２３…第２の識別ＩＤ、２４…ブーツ、２５…識別ＩＤ、３０…光配線盤、３１…光ファイバコード、３２…制御機能部（識別情報処理部）、３３…端末、３４…ＤＢサーバ、３５…ネットワーク、３６…送信機能部。
【図１】
2008117714.tif 000003
【図２】
2008117714.tif 000004
【図３】
2008117714.tif 000005
【図４】
2008117714.tif 000006
【図５】
2008117714.tif 000007
【図６】
2008117714.tif 000008
【図７】
2008117714.tif 000009